(57)【特許請求の範囲】
【請求項１】
医療用システムにおいて、
制御プロセッサであって、
タイムラインに沿っていつ各イベント及びアラームが生じるかを検出するように、医療用センサからの生理学的状態又は臨床的情報をイベント及びアラーム基準と比較し、
前記タイムラインに沿った生理学的状態を示す生理学的又は臨床的情報並びに前記イベント及びアラームの発生に対応する前記タイムラインのセグメントをデータ記憶部に記憶する、
ようにプログラムされた制御プロセッサと、
視覚的レンダリングが表示されるディスプレイと、
ディスプレイコントローラであって、
タイムラインに沿った生理学的状態を示す生理学的又は臨床的データ並びにイベント及びアラームに対応する前記タイムラインに沿ったセグメントを含む選択された患者のデータを前記データ記憶部から受信し、
前記タイムラインに沿って延在するバーを含む各イベントセグメント及びアラームセグメントに対してイベントオブジェクトを作成し、
カラーコーディング、高さコーディング、色強度コーディング、及び文字コーディングの少なくとも１つを使用して各イベントオブジェクトをラベル付けし、
前記ラベル付けされたバー及び前記生理学的又は臨床的データを表示するように前記ディスプレイを制御する、
ようにプログラムされたディスプレイコントローラと、
を有し、
前記ディスプレイコントローラが、各イベントオブジェクトの前記バーとのユーザインタラクションを可能にするようにプログラムされ、
一連の関連するイベントオブジェクトは、各関連するイベントオブジェクトが単一の行として表される高レベルデータビューとして前記ディスプレイに表示され、
前記高レベルデータビューは、前記高レベルデータビューの各イベントオブジェクトが別々のサブ行として表示されるように展開可能であり、
前記高レベルデータビューは、前記サブ行が前記単一の行に折り畳まれるように折り畳み可能である、医療用システム。
【請求項２】
前記制御プロセッサが、
前記イベントが最初に前記制御プロセッサにより検出される時間を示すオンセット時間と、
前記制御プロセッサがアラームに前記イベントの存在を通知させる時間を示す告知時間と、
前記アラームがユーザにより承認される時間を示す承認時間と、
前記イベントがもはやアクティブではない時間を示す解消時間と、
を決定するようにプログラムされる、請求項１に記載のシステム。
【請求項３】
前記ディスプレイコントローラが、
前記バーの色が前記イベントオブジェクトにより表される前記生理学的又は臨床的情報の性質を表すようなカラーコーディング、
前記バーの高さが前記イベントオブジェクトにより表される前記生理学的又は臨床的情報の性質を表すような高さコーディング、
文字が前記イベントオブジェクトにより表される前記生理学的又は臨床的情報の性質をシンボル化するような文字コーディング、
の少なくとも１つを使用して各イベントオブジェクトにラベル付けする、
ようにプログラムされる、請求項１ないし２のいずれか一項に記載のシステム。
【請求項４】
前記ディスプレイコントローラが、
色強度の変化が前記イベントオブジェクトにより表される前記生理学的又は臨床的情報の性質又は重複するイベントを表すような色強度コーディングを使用して各イベントオブジェクトにラベル付けする、
ようにプログラムされる、請求項１ないし３のいずれか一項に記載のシステム。
【請求項５】
前記ディスプレイコントローラが、
各イベントオブジェクトの信頼性又は信号品質レベルを決定し、ここで前記信頼性又は信号品質レベルが前記イベントオブジェクトにより表される前記イベントの妥当性の相対的な信頼性を示し、
前記イベントオブジェクトにより表される前記イベントの信頼性レベルを描くように信頼性コーディングを使用して少なくとも１つのイベントオブジェクトにラベル付けする、
ようにプログラムされる、請求項１ないし４のいずれか一項に記載のシステム。
【請求項６】
前記制御プロセッサが、前記イベントをレンダリングするために前記医療用センサ又は臨床的情報からの前記生理学的状態に存在しない追加のイベントデータを決定するようにプログラムされる、請求項１ないし５のいずれか一項に記載のシステム。
【請求項７】
医療的イベント及びアラームの視覚的レンダリングを発生する方法において、
タイムラインに沿った生理学的状態を示す生理学的又は臨床的情報並びにイベント及びアラームに対応する前記タイムラインに沿ったセグメントを含む選択された患者のデータを受信するステップと、
前記タイムラインに沿って延在するバーを含む各イベントセグメント及びアラームセグメントに対するイベントオブジェクトを作成するステップと、
カラーコーディング、高さコーディング、色強度コーディング、及び文字コーディングの少なくとも１つを使用して各イベントオブジェクトにラベル付けするステップと、
前記ラベル付けされたイベントオブジェクトを表示するステップと、
高レベルデータビューとして単一の行において一連の関連するイベントオブジェクトを表示するステップと、
前記高レベルデータビューのイベントオブジェクトを複数の行において表示するように前記高レベルデータビューを展開するステップと、
前記複数の行を前記単一の行に折り畳むステップと、
を有する方法。
【請求項８】
前記タイムラインに沿っていつ各イベント及びアラームが生じるかを検出するように、医療用センサからの生理学的状態をイベント及びアラーム基準と比較するステップと、
前記タイムラインに沿った前記生理学的又は臨床的状態を示す生理学的又は臨床的情報並びに前記検出されたイベント及びアラームに対応する前記タイムラインのセグメントを記憶するステップと、
を有する、請求項７に記載の方法。
【請求項９】
前記イベントが最初に検出される時間を示すオンセット時間と、
アラームが前記イベントの存在を通知する時間を示す告知時間と、
前記アラームが承認される時間を示す承認時間と、
前記イベントがもはやアクティブではない時間を示す解消時間と、
を決定するステップを有する、請求項７に記載の方法。
【請求項１０】
前記各イベントオブジェクトにラベル付けするステップは、
各イベントオブジェクトの色又は色強度が前記イベントオブジェクトにより表される前記生理学的又は臨床的情報の性質を表すようなカラーコーディング又は色強度コーディングを使用するステップ、
高さが前記イベントオブジェクトにより表される前記生理学的又は臨床的情報の性質を表すような高さコーディングを使用するステップ、及び
文字が前記イベントオブジェクトにより表される前記生理学的又は臨床的情報の性質をシンボル化するような文字コーディングを使用するステップ、
の少なくとも１つを有する、請求項７に記載の方法。
【請求項１１】
各イベントオブジェクトの信頼性レベルを決定するステップであって、前記信頼性レベルが、前記イベントオブジェクトにより表されるイベントの妥当性の相対的な信頼性を示すステップと、
前記イベントオブジェクトにより表されるイベントを作成する測定の妥当性の信頼性のレベルを示すように少なくとも１つのイベントオブジェクトにラベル付けするステップと、
を有する、請求項７に記載の方法。
【請求項１２】
前記イベントをレンダリングするために前記医療用センサ又は臨床的情報からの前記生理学的状態に存在しない追加のイベントデータを決定するステップ、
を有する、請求項７ないし１１のいずれか一項に記載の方法。
【請求項１３】
請求項７ないし１２のいずれか一項に記載の方法を実行するように１以上のプロセッサを制御するソフトウェアを有する非一時コンピュータ可読媒体。
【発明の詳細な説明】
【技術分野】
【０００１】
本出願は、医療モニタリング及び患者の生理学的状態をモニタリングする臨床データ表示装置に関する。これは、患者モニタリング装置、中央ステーションモニタ、単独又は複数の患者のダッシュボード表示装置上の患者情報を含む関心イベントに対する表示及びナビゲーションを改良する特定の応用を見つける。
【背景技術】
【０００２】
現在、限られた量の生理学的データが、患者モニタリング装置上に表示されることができる。アラームがトリガされる又は患者若しくは臨床的イベントの生理学的状態の測定された変化によりイベントが検出される場合、前記アラーム又はイベントに関するデータが表示される。患者の現在の生理学的状態をより良く診断するために、臨床医は、様々なセンサからのアラーム又はイベントまで及びその間の患者データを見る。モニタは、典型的には、現在のデータを表示し、過去のデータを記憶する。過去のデータを表示する１つの仕方は、電子ストリップチャートのフォーマットである。すなわち、心電図（ＥＣＧ）又は他の生理学的波形のようなデータは、数分、数時間又は数日戻って展開されることができるタイムラインに沿って表示される。毎分約７０回の平均心拍数で、イベント又はアラームに対してこの数の心拍をスキャンするのは、時間がかかりうる。さらに、アラーム又はイベントの発生は、典型的には、前記アラームの前に又は同時に発生したイベント及び他の生理学的データの表示に優先する。
【発明の概要】
【発明が解決しようとする課題】
【０００３】
本出願は、上記の問題等を克服する、患者モニタリング装置上の患者情報の表示及びナビゲーションの新しい改良された方法を提供する。
【課題を解決するための手段】
【０００４】
一態様によると、医療イベント及びアラームの視覚的レンダリングを発生する装置が、提供される。前記装置は、ディスプレイコントローラおよび視覚的レンダリングが表示されるディスプレイを含む。前記ディスプレイコントローラは、データ記憶部から選択された患者のデータを受信するようにプログラムされる。前記データは、タイムラインに沿った生理学的状態を示す生理学的情報並びにイベント及び／又はアラームに対応するタイムラインに沿ったセグメントを含む。前記ディスプレイコントローラは、前記タイムラインに沿って延在するバーを含む、各イベント／アラームセグメントに対するイベントオブジェクトを作成するようにプログラムされる。前記ディスプレイコントローラは、カラーコーディング、高さコーディング、色強度コーディング及び文字コーディングの少なくとも１つを使用して各イベントオブジェクトにラベル付けするようにもプログラムされる。最後に、前記ディスプレイコントローラは、前記ラベル付けされたバー及び前記生理学的データを表示するために前記ディスプレイを制御するようにプログラムされる。
【０００５】
他の態様によると、医療モニタリングシステムが、提供される。前記システムは、患者の生理学的状態を感知する複数の医療用センサ及び制御プロセッサを含む。前記制御プロセッサは、前記医療用センサからの前記生理学的状態をイベント及びアラーム基準と比較し、タイムラインのどこで各イベント及び／又はアラームが生じるかを検出するようにプログラムされる。前記制御プロセッサは、前記タイムライン並びに前記イベント及び／又はアラームの発生に対応する前記タイムラインのセグメントに沿った前記生理学的状態を示す生理学的情報、並びにイベント作成、イベント告知、前記告知に対するユーザ又はシステム応答、及びイベントの結果を含む前記イベントの履歴に関する履歴をデータ記憶部に記憶するようにプログラムされる。
【０００６】
他の態様によると、医療的イベント及びアラームの視覚的レンダリングを発生する方法が、提供される。前記方法は、タイムラインに沿った生理学的状態を示す生理学的情報及びイベント及び／又はアラームに対応する前記タイムラインに沿ったセグメントを含む選択された患者のデータを受信するステップを含む。イベントオブジェクトは、前記タイムラインに沿って延在するバーを含む各イベント／アラームに対して作成される。各イベントオブジェクトは、カラーコーディング、高さコーディング、色強度コーディング、及び文字コーディングの少なくとも１つを使用してラベル付けされる。前記ラベル付けされたイベントオブジェクトは、ディスプレイ上に表示される。
【０００７】
他の態様によると、イベントをグループ分けする方法が、提供される。前記方法は、少なくとも１つの他の医療用装置又は臨床システムからアラーム及びイベントを集めるステップと、単一の階層的表現の下で一緒にグループ分けされた同様の原因、体組織、又はイベントコンテクストのアラーム及びイベントを提示するステップとを含む。
【０００８】
１つの利点は、複数の生理学的パラメータ及び関連したイベント及びアラームが展開された時間範囲にわたり表示されることを可能にする、患者イベントデータの階層的表示にある。
【０００９】
他の利点は、臨床的イベントを位置特定及び評価するための患者データの改良されたナビゲーションにある。
【００１０】
他の利点は、システム情報（例えば、アラーム状態、イベントの信頼レベル等）及び生理学的イベントの同時表示にある。
【００１１】
他の利点は、前記システムにおいて、"なぜ"、"どこで"、"誰が"及び"どのようにして"前記イベント又はアラームが対処又は承認及び応答されたかのような前記ユーザに対する改良された開示にある。
【００１２】
本発明の更に他の利点は、以下の詳細な説明を読み、理解すると当業者に理解される。
【００１３】
本発明は、様々な構成要素及び構成要素の組み合わせ、並びに様々なステップ及びステップの組み合わせの形を取ることができる。図面は、好適な実施例を説明する目的のみであり、本発明を限定すると解釈されるべきでない。
【図面の簡単な説明】
【００１４】
【図１】本出願による患者モニタリング装置の概略図である。
【図２】生理学的データに関するイベント属性の概略図である。
【図３】患者イベントの階層的グループ分けを用いる患者モニタリング装置のディスプレイの一実施例である。
【図４】アラーム状態がイベントオブジェクトの高さにより表現される患者モニタリング装置のディスプレイの他の実施例である。
【図５】アラーム状態が前記イベントオブジェクト内の暗いラインを用いて表現される患者モニタリング装置のディスプレイの他の実施例である。
【図６】イベントの信頼レベルが垂直バーの高さにより表され、ユニークなターミネータマークが追加の情報を示す患者モニタリング装置のディスプレイの他の実施例である。
【図７】患者モニタリング装置のディスプレイ上の患者イベントの表示のフローチャート図である。
【発明を実施するための形態】
【００１５】
図１を参照すると、患者（図示されない）は、前記患者の生理学的パラメータを測定し、前記生理学的パラメータを示す生理学的又は臨床データを発生する様々な医療モニタリング装置若しくはセンサ、又は臨床情報システム１０によりモニタリングされる。これらの医療モニタリング装置又は臨床情報システム１０は、ＥＣＧセンサ、ＩＶ流体ポンプ、血圧センサ、ＳｐＯ２センサ、パルスセンサ、体温計、呼吸センサ、ガスセンサ、治療投与イベント及び臨床オーダ又は管理トランザクション等を含みうる。もちろん、他の医療モニタリング装置１０が、患者に関連付けられることができ、上述の医療モニタリング装置１０の全てが、いつでも患者と関連付けられている必要はない。５つの医療用又は臨床装置１０が図示されているが、より少数の又はより多数の医療モニタリング装置が考えられると理解されるべきである。ここで使用されるように、医療モニタリング装置１０は、患者の健康を示すデータソース、実験室結果、又は患者治療（例えば、薬物の投与）等を知らせる。医療モニタリング装置１０から信号を受信し、オプションとしてこのような信号に対して信号処理を実行する電子装置は、図示された実施例において、患者モニタリング装置１２として実施される。患者モニタリング装置１２は、頻繁に、前記患者の近くに配置され、例えば、ベッドサイドモニタであるか、又はナースステーション等の中心に配置される。本発明は、病院ＬＡＮ、イントラネット又はインターネット上の前記システムに対するリモートアクセスを介してベッドサイド及びケアユニットから離れて利用可能であるデータビューにおいて実施されることもできる。医療モニタリング装置１０及び患者モニタリング装置１２が単一の装置において実施されることもできると理解されるべきである。患者モニタリング装置１２は、例えば、歩行可能な患者着用モニタリングシステムの送信器等のような前記患者とともに移動するモニタであってもよい。
【００１６】
医療モニタリング装置１０は、バッテリ、外部ＡＣ電源、又は両者の組み合わせにより電力供給されることができる。前記生理学的データは、連続的に又は定期的に通信されることができる。所定の患者に対して、ＥＣＧのようないくつかのデータは、連続的に、及び血圧のような他のデータは、定期的に通信されることができる。医療モニタリング装置１０は、身体結合ネットワーク、ジグビー、ブルートゥース、有線ネットワーク、又は無線ネットワーク等を介して前記発生された生理学的データを患者モニタリング装置１２のコントローラ１４に送信する。患者モニタリング装置１２は、医療モニタリング装置１０により測定されたイベント及びアラームと関連した生理学的データに対する収集点として機能し、データ記憶部１６又は他のオンボード若しくは遠隔電子メモリにおいて、前記モニタリングされたデータ並びに関連する時間及び応用に対する臨床的コンテクストに対する記憶部を提供する。データ記憶部１６は、患者ごとのエントリ、及び応用に基づいてシステム全体のイベントの両方を含む。
【００１７】
コントローラ１４は、医療モニタリング装置１０から前記収集された生理学的データを受信する。加えて、コントローラ１４は、どのようにしてシステム又はユーザが、データ記憶部１６に保存されたアラーム又はイベントを承認したかに関連するデータをアラーム及びイベントソース１０から受信する。コントローラ１４は、前記データをイベント基準メモリユニット２２からのイベント基準と比較するプロセッサ、アルゴリズム又はユニットのようなイベント検出器２０を含む。イベントは、選択された基準を超過した生理学的データ変化である。イベントが検出される場合、イベントマーキングユニット２４は、各イベントの開始又はオンセット時間及び終了又は解消時間、並びにどのようにして、誰により及びどこで前記イベントが承認されたかをマークする。データ及びイベントマーキングは、データ記憶部１６に一緒に記憶される。アルゴリズム又はユニットのようなアラーム検出器２６は、前記データをアラーム基準メモリユニット２８からのアラーム基準と比較する。アラーム状態が検出される場合、アラームマーキングユニット又はアルゴリズム３０は、前記データと併せてデータ記憶部１６に記憶される開始又は告知時間、及びどのようにして、誰によりどこで前記アラームが承認されたかをマークする。前記アラーム状態の検出は、可聴及び／又は視覚的アラームのようなアラーム３２をトリガする。臨床医からユーザまでのインタフェース３４は、前記記憶されたデータにおいてアラーム承認時間をマークするようにアラームマーカ３０をアラームリセットユニット３６に制御させるアラームを承認し、アラーム３２をリセットする。コントローラ１４は、一実施例において、上記の動作を実行するようにプログラムされた１以上のプロセッサを含む。他の実施例において、コントローラ１４は、上記のように機能するように各々設計された複数のプロセッサを含む。
【００１８】
コントローラ１４の一部であってもよいディスプレイコントローラ４０は、前記記憶された生理学的データ、前記イベントオンセット時間、前記告知時間、前記承認時間、及び前記解消時間をデータ記憶部１６から取り出し、イベント及びアラームの容易な識別及び分析を容易化する形のディスプレイ４２上の表示に対して前記取り出された情報をフォーマットするようにユーザインタフェース３４により制御される。前記データをモニタ１２に記憶するのではなく、前記データは、遠隔メモリ１６'に記憶されることができる。ワークステーション４４は、ディスプレイコントローラ４０'及びディスプレイ４２'を含むことができる。ディスプレイ４２'は、病院ＬＡＮ、イントラネット又はインターネット上の前記システムに対する遠隔アクセスを介してベッドサイド及びケアユニットから離れた遠隔応用で実施されうる。ディスプレイコントローラ４０が発生するようにプログラム又は制御される適切な表示フォーマットのいくつかの実施例は、以下の図２−６と併せて説明される。
【００１９】
各イベントは、イベントタイプ（単一の生理学的パラメータ、複数の生理学的状態、システム状態等）、イベントオンセット時間、告知時間、承認時間、及び解消時間を記述するイベント属性を含む。前記イベントオンセット時間は、いつ前記イベントが最初にイベント検出器２０により検出されたかを識別する時間である。前記告知時間は、アラーム検出器２６が前記アラームレベルの存在をアラーム３２に告知し、アラーム３２を（オフにするのではなく）アクティブにする時間である。前記承認時間は、前記イベントが前記臨床医又はホストシステムのいずれかにより承認される時間である。前記解消時間は、前記イベントがもはやアクティブではない時間である。
【００２０】
図２を参照すると、イベント属性と生理学的データ５２との間の関係の概略図５０が図示される。生理学的データ５２は、システム状態５４、５６、５８、６０とともに示される。生理学的データ５２の変化は、イベント検出器２０により識別され、オンセット時間６４として信号通知される。前記生理学的イベントのオンセットの検出に続いて、前記アラームは、告知時間６６として信号通知される。前記アラームは、アラーム制御５６がオンにセットされている限り続行するか、又は前記システムが前記ユーザ又は他の刺激による承認を受信するまで、承認時間６８として信号通知される。前記生理学的イベントの終了は、イベント検出器２０により識別され、解消時間７０として信号通知され、承認アクティビティとは独立である。イベント持続時間７２は、オンセット時間７４における前記イベントの検出で始まり、解消時間７０における前記イベントの終了の検出で終わる時間範囲である。アラーム持続時間７４は、告知時間６６に始まり、承認時間６８における前記アラームの承認で終わる時間範囲である。
【００２１】
前述のとおり、ディスプレイコントローラ４０は、様々な医療モニタリング装置及び臨床システム１０により受信及び記憶されたイベントを取り出し、表示するようにディスプレイ４２を制御する。図３を参照すると、表示オブジェクトは、最高レベルデータビュー８０を示すように折り畳まれるイベントの行を用いてレンダリングされる。サブグループが複数のイベントを含む場合、展開された行８２、８４は、より高いレベルのグループ８０の下に存在するイベントを表すようにレンダリングされる。この表現は、一実施例において、重複するイベントを示すように色強度に基づき、各イベント属性は、異なる色を持つ。図３において、色透明度が、重複するイベントを示すのに使用される。イベントオブジェクトは、タイムラインにおけるイベントの発生をシンボル化するように重ねられる。最上部の行の"心停止"状態のイベントオンセット時間６４は"Ａ"により示され、告知時間６６は"Ｂ"により示され、承認時間６８は"Ｃ"により示され、解消時間７０は"Ｄ"により示される。重ねられたイベントは、各イベントが、同じ時間範囲上の別々の行８２、８４においてレンダリングされるように展開されることができ、又は複数のイベントが単一の折り畳まれた行としてレンダリングされる高レベルデータビュー８０、８６に折り畳まれることができる。"心停止"バー８０は、サブグループ"心停止イベント"８２及び"＊＊＊心停止アラーム"８４に展開される。折り畳まれた"黄色不整脈アラーム"８６も示される。サブグループ８２、８４が複数のイベントを含む場合、折り畳まれた行は、より高いレベルのグループの下に存在するイベントを表すようにレンダリングされる。"心停止"８０は、最高レベルデータビュー８０を示すように折り畳まれたイベントの行８２、８４を用いてレンダリングされる。前記ディスプレイ上でレンダリングされた各オブジェクトは、同じ時間範囲に及ぶ。各イベントセグメントは、前記イベントセグメントが発生した時間の範囲にわたり、割り当てられた色及び色強度で、ディスプレイ２０上の行におけるオブジェクトとしてレンダリングされる。
【００２２】
時間において重複するイベントセグメントは、重複する部分の色強度、色透明度、又はこれらの組み合わせを変更することによりレンダリングされる。好適な実施例において、色強度は、重複するイベントを示すように変更され、その上、各イベントセグメントは、異なる色である。他の実施例は、重複するイベントを示すための色透明度又はイベント行の高さの使用を含む。黄色不整脈アラームにおいて、２つの重複するイベント／アラーム９０、９２は、色透明度の使用により両方とも見える。下にあるイベント／アラームは、より大きな色強度の領域として重複するイベント／アラームを通して見られることができる。
【００２３】
図４を参照すると、アラームオブジェクト７４の前のイベントオブジェクト１００は、アラームオブジェクト７４に対するソーシングパラメータが点"Ａ"と点"Ｂ"との間で減少された信頼性にあることを示す心停止イベントオブジェクト７２の残りと比較して高さにおいて減少されて表示される。先行する仮特許出願ＵＳ６１／１５２９７９において、関連した入力信号の信号品質に基づいてイベント又はアラームに対する信頼性のレベルを算出するシステムが、提案されている。これは、なぜ前記アラームが、不整脈検出アルゴリズムにより検出されたオンセット時間６４において通知しなかったのかを前記ユーザに示す。図面において、前記イベントの信頼性は、時間に対して一定であるようにレンダリングされているが、時間に対して可変関数であることができることに注意すべきである。
【００２４】
図５において、アラームオブジェクト７４の前のイベントオブジェクト１００は、このイベントに対するアラームが中止されることを表すようにより暗い線１０２を用いてレンダリングされる。この情報は、なぜ前記アラームがイベントの開始時（"Ａ"）において通知されなかったが、後で前記アラームがオンにされたとき（"Ｂ"）に通知されたのかを示す。
【００２５】
図６を参照すると、前記イベントの開始点６４におけるユニークな開始マーク１１０は、アラームを承認したユーザから、ラッチされたアラームのような自己終端イベント（これ自体を補正した状態）、及びどの承認が検出されたか（中止アラーム、承認アラーム、変更制限等）を示す。終点６８におけるユニークなターミネータマーク１１０は、イベントにより作成された注釈に対するアクセスを得るために前記ユーザに対するターゲットをも提供する。信頼性バー１１２の高さは、信頼性システムのこのようなレベルから前記イベントの妥当性に対する相対的な信頼性をも示すことができる。ユニークなマークは、代替的には、低い信頼性を持つイベントを示すのに使用されることができる。マークの群は、様々な有用な情報を示すのに使用されることができる。
【００２６】
動作において、患者の１以上の生理学的パラメータは、モニタディスプレイ上でリアルタイムでモニタリング及び表示される。臨床医が、現在の時間までの前記生理学的パラメータを見直すことを望む場合、前記臨床医は、前記データを通して逆行する。一実施例において、前記臨床医は、前記データを逆方向にスクロールする。前記イベント及び前記アラームの色又は他のグラフィック表現は、前記臨床医が適切な時間機関を見つけるのを助ける。選択された時間範囲にわたるツール先端のホバリングは、一実施例において、グラフィックイベント及びアラーム表現を強調表示された時間期間に対して表示させる。クリックは、前記選択された時間に対して時間フォーカスをセットし、前記選択された時間フォーカス内の全てのイベントを表示させる。クリックは、前記選択された時間フォーカスにおける様々なイベント及びアラームバーを展開し、折り畳むのに使用されることもできる。
【００２７】
図７は、患者モニタリング又は臨床情報システム装置１２又は４４のディスプレイコントローラ４０又は４０'の動作を示す。ステップ１２２において、装置１２は、生理学的又は臨床データを受信し、前記データをイベント基準と比較する。ステップ１２４において、イベントオブジェクトが、各検出されたイベントをグラフィカルに表すように作成される。ステップ１２６において、各イベントオブジェクトは、イベントセグメントタイプに割り当てられた色でラベル付けされる。ステップ１２８において、イベントオブジェクト幅（長さ）は、前記イベントセグメントが及ぶ時間範囲を表すようにセットされる。ステップ１３０において、各イベント属性は、時間において他のイベント属性と重複しないかどうか見るように確認される。イベント属性が時間において他のイベント属性と重複する場合１３２、前記イベントオブジェクトの重複する部分の色強度又は色透明度は、前記イベントセグメントが重複することを表すように変更される。ステップ１３４において、重複する及び重複しないイベントオブジェクトは、正しい時間範囲に及ぶタイムラインに沿ってレンダリングされる。オプションとして、ステップ１３６において、前記オブジェクトの高さが、アラーム使用可能性状態、信号品質又は他のシステム特性を表すように変更される。オプションとして、ステップ１３８において、信頼性バーは、発生したがシステムエラーによるものではないイベントの信頼性レベルを表すように前記オブジェクト上でレンダリングされる。オプションとして、ステップ１４０において、ユニークなターミネータマークは、追加の情報を持つイベントセグメントを知らせる又は提示するようにオブジェクトの開始点又は終点においてレンダリングされる。
【００２８】
本発明は、好適な実施例を参照して記載されている。修正例及び変更例は、先行する詳細な説明を読み、理解すると他者が気が付きうる。本発明は、添付の請求項又は同等物の範囲に入る限り、全てのこのような修正例及び変更例を含むと解釈されるべきであることが意図される。
【図１】
0005919272.tif 000002
【図２】
0005919272.tif 000003
【図３】
0005919272.tif 000004
【図４】
0005919272.tif 000005
【図５】
0005919272.tif 000006
【図６】
0005919272.tif 000007
【図７】
0005919272.tif 000008